(57)【要約】【課題】地上波アナログ放送終了時に実施される周波数リパッキング時において、ケーブルテレビでの地上波デジタル放送パススルー方式にて受信する地上波デジタル放送受信機においても、チャンネル周波数変更後の正しい周波数によって好適に視聴が可能で、従来通りの選局操作を継続することができるデジタル放送受信機および周波数リパッキング処理方法を提供する。【解決手段】この地上波デジタル放送受信機は、ケーブルテレビでの地上波デジタル放送パススルー方式を受信可能な地上波デジタル放送受信機であって、予めパススルー放送受信情報を設定しておき、放送波に重畳された視聴チャンネルの周波数変更指示情報を受信した場合、（１）視聴画面へ表示して告知するか、または、（２）受信機内部処理により視聴可能なチャンネルを再サーチする。【選択図】図４
2005295372.tif 000002
【特許請求の範囲】
【請求項１】
ケーブルテレビでの地上波デジタル放送パススルー方式を受信可能な地上波デジタル放送受信機において、前記地上波デジタル放送受信機に予めパススルー放送受信情報を設定しておき、放送波に重畳された視聴チャンネルの周波数変更指示情報を受信した場合、前記パススルー放送受信情報が設定されていれば、視聴画面へ表示して告知することを特徴とする地上波デジタル放送受信機。
【請求項２】
ケーブルテレビでの地上波デジタル放送パススルー方式を受信可能な地上波デジタル放送受信機において、前記地上波デジタル放送受信機に予めパススルー放送受信情報を設定しておき、放送波に重畳された視聴チャンネルの周波数変更指示情報を受信した場合、前記パススルー放送受信情報が設定されていれば、受信機内部処理により視聴可能なチャンネルを再サーチすることを特徴とする地上波デジタル放送受信機。
【請求項３】
請求項２に記載の地上波デジタル放送において、前記再サーチにより得られた受信可能チャンネルの内、重複する放送に関しては、新規に取得したチャンネルを有効にし、受信機内部に記録することを特徴とする地上波デジタル放送受信機。
【請求項４】
請求項２に記載の地上波デジタル放送において、前記再サーチにより得られた受信可能チャンネルの情報を視聴画面へ表示して告知することを特徴とする地上波デジタル放送受信機。
【請求項５】
請求項２に記載の地上波デジタル放送において、前記再サーチにより得られた受信可能チャンネルが既に記憶している受信可能チャンネルの情報と同じ場合には、受信チャンネルの周波数変更処理を実施しないことを特徴とする地上波デジタル放送受信機。
【請求項６】
ケーブルテレビでの地上波デジタル放送パススルー方式を受信可能な地上波デジタル放送受信機において、前記地上波デジタル放送受信機に予めパススルー放送受信情報を設定しておき、ケーブルテレビ事業者が自主運用する放送波に重畳された視聴チャンネルの周波数変更指示情報を受信した場合、前記パススルー放送受信情報が設定されていれば、受信した視聴チャンネルの周波数変更指示情報による受信チャンネル周波数変更処理を実施することを特徴とする地上波デジタル放送受信機。
【請求項７】
ケーブルテレビでの地上波デジタル放送パススルー方式を受信可能な地上波デジタル放送受信機において、前記地上波デジタル放送受信機に予めパススルー放送受信情報を設定しておき、ケーブルテレビ事業者がネットワーク回線を通して配信する視聴チャンネルの周波数変更指示情報を受信した場合、前記パススルー放送受信情報が設定されていれば、受信した視聴チャンネルの周波数変更指示情報による受信チャンネル周波数変更処理を実施することを特徴とする地上波デジタル放送受信機。
【請求項８】
ケーブルテレビでの地上波デジタル放送パススルー方式を受信可能な地上波デジタル放送受信機において、前記地上波デジタル放送受信機に予めパススルー放送受信情報を設定しておき、ケーブルテレビ事業者がユーザに配布するメモリ装置に記録された視聴チャンネルの周波数変更指示情報を受信機にて読み込んだ場合、前記パススルー放送受信情報が設定されていれば、読み込んだ視聴チャンネルの周波数変更指示情報による受信チャンネル周波数変更処理を実施することを特徴とする地上波デジタル放送受信機。
【請求項９】
ケーブルテレビでの地上波デジタル放送パススルー方式を受信可能な地上波デジタル放送受信機における周波数リパッキング処理方法において、前記地上波デジタル放送受信機に予めパススルー放送受信情報を設定しておき、放送波に重畳された視聴チャンネルの周波数変更指示情報を受信した場合、前記パススルー放送受信情報が設定されていれば、視聴画面へ表示して告知することを特徴とする周波数リパッキング処理方法。
【請求項１０】
ケーブルテレビでの地上波デジタル放送パススルー方式を受信可能な地上波デジタル放送受信機における周波数リパッキング処理方法において、前記地上波デジタル放送受信機に予めパススルー放送受信情報を設定しておき、放送波に重畳された視聴チャンネルの周波数変更指示情報を受信した場合、前記パススルー放送受信情報が設定されていれば、受信機内部処理により視聴可能なチャンネルを再サーチすることを特徴とする周波数リパッキング処理方法。
【請求項１１】
ケーブルテレビでの地上波デジタル放送パススルー方式を受信可能な地上波デジタル放送受信機における周波数リパッキング処理方法において、前記地上波デジタル放送受信機に予めパススルー放送受信情報を設定しておき、ケーブルテレビ事業者が自主運用する放送波に重畳された視聴チャンネルの周波数変更指示情報を受信した場合、前記パススルー放送受信情報が設定されていれば、受信した視聴チャンネルの周波数変更指示情報による受信チャンネル周波数変更処理を実施することを特徴とする周波数リパッキング処理方法。
【請求項１２】
ケーブルテレビでの地上波デジタル放送パススルー方式を受信可能な地上波デジタル放送受信機における周波数リパッキング処理方法において、前記地上波デジタル放送受信機に予めパススルー放送受信情報を設定しておき、ケーブルテレビ事業者がネットワーク回線を通して配信する視聴チャンネルの周波数変更指示情報を受信した場合、前記パススルー放送受信情報が設定されていれば、受信した視聴チャンネルの周波数変更指示情報による受信チャンネル周波数変更処理を実施することを特徴とする周波数リパッキング処理方法。
【請求項１３】
ケーブルテレビでの地上波デジタル放送パススルー方式を受信可能な地上波デジタル放送受信機における周波数リパッキング処理方法において、前記地上波デジタル放送受信機に予めパススルー放送受信情報を設定しておき、ケーブルテレビ事業者がユーザに配布するメモリ装置に記録された視聴チャンネルの周波数変更指示情報を読み込んだ場合、前記パススルー放送受信情報が設定されていれば、読み込んだ視聴チャンネルの周波数変更指示情報による受信チャンネル周波数変更処理を実施することを特徴とする周波数リパッキング処理方法。
【請求項１４】
コンピュータに、請求項１乃至８のいずれかに記載の地上波デジタル放送受信機の機能を実行させるためのプログラム。
【請求項１５】
請求項１４に記載のプログラムを記録したコンピュータ読み取り可能な記録媒体。
【発明の詳細な説明】
【技術分野】
【０００１】
本発明は、デジタル放送受信機および周波数リパッキング処理方法並びにプログラムおよび記録媒体に関し、特に、ケーブルテレビ（以下、ＣＡＴＶと略す場合あり）で実施されている地上波デジタル放送パススルー再送方式に対応した受信機において、地上波デジタル放送で実施されるチャンネル周波数リパッキング時の受信チャンネル周波数変更処理に関する。
【背景技術】
【０００２】
現在、地上波テレビ放送は、アナログ放送とデジタル放送が混在（同時放送）して実施されている。しかし、２０１１年にはアナログ放送が終了し、デジタル放送のみに一本化されることとなっている。このとき周波数帯域の有効利用の観点からデジタル放送の放送周波数の整理が実施され、ある周波数帯に集約することにより、空いた周波数帯域を別の用途（例えば、携帯電話など）に利用する計画がある。このとき実施される地上波デジタル放送のチャンネル周波数変更を周波数リパッキングと呼ぶ。
【０００３】
現在放送中のデジタル放送には別のチャンネルに再配置されるものがあり、このときデジタル放送受信機では、サービスＩＤ、スケジュール情報、更新対象の受信機種別などの告知情報を、放送に重畳されるＳＤＴＴ（Software Download Trigger Table）で受信すると、その内容のスケジュールで送られてくるチャンネル再配置後のチャンネル周波数情報や変更情報等を受信して受信機内に記録し、これに従った選局処理を実施する。
この処理は受信機内部にて実行されるため、ユーザとしては特にこの周波数変更を意識することなく、これまでと同様の方法で放送サービスを受けることが可能となっている。
【０００４】
また、ＣＡＴＶ網に地上波デジタル放送を再送信する方式としては以下のようなものが規格化され、運用されている。
【０００５】
１番目の方式としては、地上波デジタル放送の送信信号をそのまま（送信変調方式の変更を行わない）とし、送信レベルの調整のみを実施してＣＡＴＶ網に再送信する方式で、同一周波数パススルー方式という。この方式では受信機においては地上波デジタル放送をアンテナにより受信した場合と全く同じ方法（ＣＡＴＶによる受信を意識する必要がない）で受信が可能である。
【０００６】
２番目の方式としては、１番目の方式と同様に送信変調方式の変更は実施しないが、送信チャンネルの変更を行い、必要なレベル調整を実施する方式で、周波数変換パススルー方式という。この方式では、デジタル放送に重畳されるＮＩＴ（Network Information Table）と呼ばれる変調周波数など伝送路の情報と放送番組を関連付ける情報に指示されたチャンネル周波数とは異なるチャンネルでその番組が放送されることになる。
このため、ＣＡＴＶにて本方式で地上波デジタル放送が再送信されている場合、受信機では受信機のチャンネルサーチ機能により、実際に番組が放送されているチャンネルをサーチし、ＮＩＴに記載の番組が異なるチャンネルで受信されたことを受信機内に記録し、以後の選局動作は、この実際の放送チャンネルを使用してチューナの同調処理等を行う。
【０００７】
３番目の方式としては、送信変調方式そのものをＣＡＴＶ独自の規格に合わせて変換するものでトランスモジュレーション方式という。この方式では、ＣＡＴＶ送信施設で受信した地上波デジタル放送信号を６４ＱＡＭなどで再度変調する。このときデジタル放送受信に必要な番組配列情報をＣＡＴＶ用に差し替える。したがって、この方式の受信には専用の受信機（多くの場合、ＣＡＴＶ事業者が契約者に貸与）が必要になる。
【０００８】
特許文献１の技術は、地上波デジタル放送の周波数リパッキング時に生じるチャンネル周波数の変更処理をＣＡＴＶ設備側で対応し、これに接続されるＣＡＴＶ網では、その影響を受けず、従来同様の伝送状態を保つようにしている。
【特許文献１】特開２００３−３３３００３号公報
【発明の開示】
【発明が解決しようとする課題】
【０００９】
しかしながら、ケーブルテレビにおける地上波デジタル放送パススルー方式（１番目および２番目の方式）で再送された放送を受信可能な受信機に限定した場合、この周波数リパッキング時における受信機内部でのチャンネル周波数変更処理（ＳＤＴＴに従った処理）では、以下のようなチャンネル周波数の変更が必ずしも正しくないケースが発生する。
【００１０】
（１）１番目の方式（同一周波数パススルー）の場合、リパッキング前のチャンネルはＮＩＴに記された情報と相違ないが、ＣＡＴＶ事業者がＮＩＴに記したリパッキング後のチャンネルにて再送するための変更を実施しない場合が考えられる。
【００１１】
（２）２番目の方式（周波数変換パススルー）の場合、リパッキング前のチャンネルが既にＮＩＴに記された情報とは異なっており、ＣＡＴＶ事業者がＮＩＴに記したリパッキング後のチャンネルにあわせるための再送設備の変更をしない場合が考えられる。
【００１２】
いずれの場合にも従来技術に記したチャンネルサーチを行えば、新しいチャンネルで再送された放送を受信することは可能であるが、ユーザにこの周波数リパッキングが行われることを周知させること、さらに新規チャンネルでの受信のためにチャンネルサーチを実施させる必要があることなど煩雑な手続きが必要になる。
【００１３】
また、特許文献１の技術では、ＣＡＴＶ局側でリパッキングすることは可能であるが、既に多チャンネル（主にアナログ放送）を再送信している場合が多く、放送波のリパッキングに必ずしも追随できない場合があり、このときには上述した場合と同様に、基本的にはユーザへ何らかの方法（ダイレクトメール等）で告知し、手動でチャンネルサーチを実行してもらわなければならないなど煩雑な手続きが必要になる。
【００１４】
本発明は、上述のような実情を考慮してなされたものであって、地上波アナログ放送終了時に実施される周波数リパッキング時に、ケーブルテレビでの地上波デジタル放送パススルー方式にて受信する地上波デジタル放送受信機においても、チャンネル周波数変更後の正しい周波数によって好適に視聴が可能で、従来通りの選局操作を継続することができるデジタル放送受信機および周波数リパッキング処理方法並びにプログラムおよび記録媒体を提供することを目的とする。
【課題を解決するための手段】
【００１５】
上記課題を解決するために、本発明の地上波デジタル放送受信機は、ケーブルテレビでの地上波デジタル放送パススルー方式を受信可能な地上波デジタル放送受信機であって、予めパススルー放送受信情報を設定しておき、視聴チャンネルの周波数変更指示情報を受信した場合、前記パススルー放送受信情報が設定されていれば、次のように動作する。
【００１６】
（１）放送波に重畳された視聴チャンネルの周波数変更指示情報を受信した場合、視聴画面へ表示して告知する。
または、（２）放送波に重畳された視聴チャンネルの周波数変更指示情報を受信した場合、受信機内部処理により視聴可能なチャンネルを再サーチする。
さらに、再サーチにより得られた受信可能チャンネルを次のように処理する。
（ａ）受信可能チャンネルが重複する放送に関しては、新規に取得したチャンネルを有効にし、受信機内部に記録する。
（ｂ）受信可能チャンネルの情報を視聴画面へ表示して告知し、重複する放送に関してはユーザに選択させる。
（ｃ）受信可能チャンネルが既に記憶している受信可能チャンネルの情報と同じ場合には、受信チャンネルの周波数変更処理を実施せずに、相違するときにのみ受信チャンネルの周波数変更処理を実施する。
【００１７】
さらに、ケーブルテレビ事業者が自主運用する視聴チャンネルに対する周波数変更指示情報を受信した場合、前記パススルー放送受信情報が設定されていれば、次のように動作する。
（１）ケーブルテレビ事業者が自主運用する放送波に周波数変更指示情報が重畳されていた場合、受信した視聴チャンネルの周波数変更指示情報による受信チャンネル周波数変更処理を実施する。
（２）ケーブルテレビ事業者がネットワーク回線を通して周波数変更指示情報を配信する場合、受信した視聴チャンネルの周波数変更指示情報による受信チャンネル周波数変更処理を実施する。
（３）ケーブルテレビ事業者がユーザに周波数変更指示情報を記録したメモリ装置を配布した場合、このメモリ装置から読み込んだ視聴チャンネルの周波数変更指示情報による受信チャンネル周波数変更処理を実施する。
【００１８】
また、本発明は、上述した構成の地上波デジタル放送受信機の機能を実行させるためのプログラムまたはそのプログラムを記録したコンピュータ読み取り可能な記録媒体によっても構成することができる。
【発明の効果】
【００１９】
本発明によれば、地上波アナログ放送終了時に実施される周波数リパッキング時において、ケーブルテレビでの地上波デジタル放送パススルー方式にて受信する地上波デジタル放送受信機においても、チャンネル周波数変更後の正しい周波数によって好適に視聴が可能で、従来通りの選局操作を継続することができる。
【発明を実施するための最良の形態】
【００２０】
以下、図面を参照して、本発明の好適な実施形態について説明する。
【００２１】
＜実施形態１＞
図１は、一般的なケーブルテレビの再送信設備の概要を示したものである。同図において、ＣＡＴＶ施設１０１では、各種放送波を一旦受信し、独自のチャンネル配列に再配置（チャンネルの変更）を行って、各加入者宅１１１に放送サービスを提供する。
以下の説明では、地上波デジタル放送の再送方式は、地上波デジタル放送パススルー方式として説明する。なお、トランスモジュレーション方式は、ＣＡＴＶ施設１０１における設備が異なり、専用の受信機が必要となるため、本発明の対象外である。
【００２２】
ＣＡＴＶ施設１０１では、地上波デジタル放送用アンテナ１０２にて受信した放送波をＯＦＤＭ−ＳＰ（ＯＦＤＭシグナルプロセッサ）１０５と呼ばれるチャンネルコンバータにて再配置したいチャンネルに周波数変換を行い、必要に応じて信号レベルの調整を実施する。
ここで、再配置するチャンネルが放送波のチャンネルと同一の場合を同一周波数パススルー方式、異なる場合を周波数変換パススルー方式と呼ぶ。この両方式におけるＣＡＴＶ施設１０１に設備の差異はない。なお、ＯＦＤＭ−ＳＰ１０５は再送信するチャンネル個々に必要である。
以上により得られるチャンネル再配置後の放送波をヘッドエンド１０９と呼ばれる合成器に入力し、複数の放送チャンネルを含む信号がＣＡＴＶ網１１０によって各加入者宅１１１に届けられる。
【００２３】
同様に、ＣＡＴＶ施設１０１では、地上波アナログ放送については、地上波アナログ放送用アンテナ１０３にて放送波をチャンネルコンバータ１０６（再送信するチャンネル個々に必要）によってチャンネル再配置した放送波をヘッドエンド１０９に入力し、複数の放送チャンネルを含む信号がＣＡＴＶ網１１０によって各加入者宅１１１に届けられる。
【００２４】
また、衛星放送については、上記同様のパススルー方式（変調方式を変えないで再送）も規格化されているが、ここでは変調方式をＱＡＭ（直交振幅変調）に変換し、専用受信機で受信する場合について説明する。
ＣＡＴＶ施設１０１では、衛星放送用アンテナ１０４で受信した放送波を衛星デジタル放送受信装置１０７に入力し、これにより得られる映像、音声等の各種サービスをＱＡＭ変調機１０８にて再変調してヘッドエンド１０９に入力し、複数の放送チャンネルを含む信号がＣＡＴＶ網１１０によって各加入者宅１１１に届けられる。ただし、これらの設備については各ＣＡＴＶ事業者にて再送信の方式が異なり、必ずしも一様ではない。
【００２５】
次に、地上波デジタル放送受信機における受信可能なチャンネルの設定方法について説明する。
ユーザは受信機購入時に、チャンネルサーチと呼ばれる機能にて実際に放送されている放送チャンネルの確認処理を実行する。アンテナにて放送波を受信している場合には、受信機の地域設定機能（チャンネルプリセット）のみで受信可能なチャンネルの設定が可能であるが、以下は地域設定を行わない場合について説明する。
【００２６】
チャンネルサーチとは、地上波デジタル放送を送信する周波数帯域（基本的にはＵＨＦ帯内であるが、パススルー方式の場合はＶＨＦ帯、ＭＩＤ帯、ＳＨＢ帯も対象である）についてそれぞれのチャンネルの周波数をチューナに設定し、これによりデジタル放送のストリーム（デジタルデータ）が得られるかどうかを、ストリームから番組情報が取得できたかどうかで判定するという処理を帯域内の全チャンネルについて実施し、受信可能なチャンネルの情報を受信機内に記録するとともに、ユーザに提示する。
【００２７】
ここで、得られた番組情報とそれを受信できたチャンネルの周波数が別途取得する放送波に重畳されたＮＩＴ（Network Information Table）と呼ばれる変調周波数など伝送路の情報と放送番組を関連付ける情報の内容と異なる場合は、チャンネルサーチにより得られた情報を優先して以後の選局処理で使用する。
【００２８】
アンテナにて放送波を受信する場合は、基本的に上記情報が異なることはない（ただし、放送エリア外からの放送波を受信した場合は、ＮＩＴに含まれない情報を得る場合もある）が、ＣＡＴＶにおける周波数変換パススルー方式にて再送された地上波デジタル放送を受信した場合には、ＮＩＴの情報とチャンネルサーチにより得られる情報が異なることもある。
【００２９】
周波数リパッキング時には、ＳＤＴＴによってチャンネル再配置後のチャンネル周波数を取得するが、ＣＡＴＶにおける地上波デジタル放送パススルー方式では、必ずしもこのＳＤＴＴに記した通りのチャンネル周波数変更が実施されない。この場合、受信機ではリパッキングが実施されると、それ以降、リモコンによる選局操作では番組の視聴ができない事態に陥る。
【００３０】
そこで、本発明の実施形態に係る地上波デジタル放送受信機においては、受信機購入時にユーザが受信方式をまず初期設定する。この初期設定でアンテナによって受信している受信機であると設定された場合には、先に述べた周波数リパッキング時にＳＤＴＴに従った受信チャンネルの周波数変更処理を実施して、特にユーザ操作の必要なく良好にチャンネル周波数の移行を実現できる。
しかし、この初期設定で、ケーブルテレビによる地上波デジタル放送パススルー方式によって受信している受信機であると設定された場合には、ＳＤＴＴ指示によるチャンネル周波数変換処理を実施しないようにする。
【００３１】
図２は、地上波デジタル放送受信機に実装する受信方式選択画面の１例である。この画面２０１により、地上波デジタル放送の受信方式を選択して、受信機の初期設定を行う。
この例では、リモコンのキー操作によってアイコン２０２を選択した場合、地上波デジタル放送受信のためにアンテナを設置（あるいは、既存アンテナの利用）して受信していることを示す。また、アイコン２０３を選択すると、ケーブルテレビに加入し、地上波デジタル放送パススルー方式にて受信していることを示している。
いずれかのアイコンを選択後、選択決定アイコン２０４をクリックすると、この選択結果を受信機に記録する。
【００３２】
以上のように、地上波デジタル放送受信機の受信方式を、ケーブルテレビによる地上波デジタル放送パススルー方式にて受信していると初期設定すると、ＳＤＴＴが受信されてもチャンネル周波数変換処理を実施しないので、従来のチャンネル周波数での放送が停止してしまうと、そのままではユーザは通常のリモコン操作による選局が実施できず、またなぜ受信できなくなったかについても不明のままとなり、ユーザが受信機の故障というような誤った判断をされかねない。
【００３３】
この場合には、地上波デジタル放送受信機がＳＤＴＴを受信したとき、図３に示すような警告メッセージを視聴画面上に表示するようにする。
これにより、ユーザは周波数リパッキングが実施されたことを知り、チャンネルサーチを再実行（ユーザ操作による）して、周波数リパッキング後のチャンネル周波数の再設定が実施できる。このチャンネルサーチを実施した後の選局は、通常のリモコン操作のみで実行することができる。
【００３４】
図４のフローチャートを用いて、本実施形態１の地上波デジタル放送受信機の動作を説明する。
まず、地上波デジタル放送受信機がＳＤＴＴによるチャンネル周波数変更指示を受信する（ステップＳ４０１）と、初期設定された受信方式を参照して、この受信機がアンテナにより受信している場合（ステップＳ４０２のＹＥＳ）、ＳＤＴＴ指示によるチャンネル周波数変更処理を行って、周波数リパッキング後のチャンネル周波数を再設定する（ステップＳ４０３）。
以降はリパッキング後のチャンネル周波数で受信が可能となる。
【００３５】
一方、ＣＡＴＶパススルー方式で受信している場合（ステップＳ４０２のＮＯ）、周波数リパッキングが実施されたことを通知し、さらにはチャンネルサーチの再実行を促す画面表示（図３参照）を行う（ステップＳ４０４）。
以降はユーザがチャンネルサーチを行い、それにより得られたチャンネル周波数に従った変更処理を行うことで、周波数リパッキングへの対応が完了する。
【００３６】
＜実施形態２＞
上記の実施形態１は、ケーブルテレビによる地上波デジタル放送パススルー方式にて受信している受信機では、ＳＤＴＴが受信された場合にチャンネルサーチをユーザに実施させていたが、本実施形態２では、ユーザに通知することなく受信機内部処理によりチャンネルサーチを実施し、周波数リパッキング後のチャンネル周波数の再設定を実施するように構成する。これにより、ユーザは周波数の変更を意識することなく、従来と同様に通常のリモコン操作で選局を実行することができる。
【００３７】
図５のフローチャートを用いて、本実施形態２の地上波デジタル放送受信機の動作を説明する。
まず、地上波デジタル放送受信機がＳＤＴＴによるチャンネル周波数変更指示を受信する（ステップＳ５０１）と、初期設定された受信方式を参照して、この受信機がアンテナにより受信している場合（ステップＳ５０２のＹＥＳ）、ＳＤＴＴ指示によるチャンネル周波数変更処理を行って、周波数リパッキング後のチャンネル周波数を再設定する（ステップＳ５０３）。
以降はリパッキング後のチャンネル周波数で受信が可能となる。
【００３８】
一方、ＣＡＴＶパススルー方式で受信している場合（ステップＳ５０２のＮＯ）、受信可能なチャンネルを確認するためのチャンネルサーチを受信機内部で実施し、周波数リパッキング後のチャンネル周波数の再設定を実行し（ステップＳ５０４）、終了する。
以降はチャンネルサーチにより変更処理されたチャンネル周波数で受信が可能となる。
【００３９】
また、地上波デジタル放送受信機がＳＤＴＴ指示によるチャンネルサーチを受信機内で実施して得られるチャンネル周波数情報が、従来から受信機内に記録しているチャンネル周波数情報と同一である場合がある。
例えば、周波数リパッキング時に、ＣＡＴＶ事業者が従来からＣＡＴＶ網に再送していたチャンネルを変更することなく、ＣＡＴＶ施設内のＯＦＤＭ−ＳＰの入力側にて新規周波数を受信するように設定変更する場合である。
このような場合には、受信機内のチャンネル周波数変更処理を実施しないようにし、従来の情報と異なる場合にのみ受信機内の情報を書き換える。
これにより、ユーザは特に何の操作もなく従来通り地上波デジタル放送を継続して視聴することができる。
【００４０】
図６のフローチャートを用いて、本実施形態２の変形例の地上波デジタル放送受信機の動作を説明する。
まず、地上波デジタル放送受信機がＳＤＴＴによるチャンネル周波数変更指示を受信する（ステップＳ６０１）と、初期設定された受信方式を参照して、この受信機がアンテナにより受信している場合（ステップＳ６０２のＹＥＳ）、ＳＤＴＴ指示によるチャンネル周波数変更処理を行って、周波数リパッキング後のチャンネル周波数を再設定する（ステップＳ６０３）。
以降はリパッキング後のチャンネル周波数で受信が可能となる。
【００４１】
一方、ＣＡＴＶパススルー方式で受信している場合（ステップＳ６０２のＮＯ）、受信可能なチャンネルを確認するためのチャンネルサーチを受信機内部で実施し（ステップＳ６０４）、チャンネルサーチ実行により得られたチャンネル周波数情報と従来受信機で記録しているチャンネル周波数情報と全く同一である場合（ステップＳ６０５のＹＥＳ）、そのまま終了する。
他方、チャンネルサーチ実行により得られたチャンネル周波数情報と従来受信機で記録しているチャンネル周波数情報とが異なる場合（ステップ６０５のＮＯ）、新しく得られたチャンネル周波数情報に置き換えるようにすべて受信機内部に記録する（ステップ６０６）。
以降はチャンネルサーチにより変更処理されたチャンネル周波数で受信が可能となる。
【００４２】
＜実施形態３＞
上述の実施形態２のようにしてチャンネルサーチによってチャンネル周波数を変更した後でも、周波数リパッキング時には周波数移行前のチャンネルと周波数移行後のチャンネルで一定期間、同時に地上波デジタル放送を実施する場合がある。
この場合、ケーブルテレビによる地上波デジタル放送パススルー方式にて受信している受信機については、ＳＤＴＴ指示によるチャンネルサーチを受信機内で実施して得られるチャンネル周波数情報について異なる周波数で同一の放送を重複して受信した場合は、従来情報を消去し、新規に取得した情報を受信機内部に記録することとし、以降の選局を通常のリモコン操作のみで実行できるようになる。
これにより、一定期間経過後、元の周波数によるデジタル放送が終了した場合でも特に支障なく地上波デジタル放送を継続して視聴することができる。
【００４３】
図７のフローチャートを用いて、本実施形態３の地上波デジタル放送受信機の動作を説明する。
まず、地上波デジタル放送受信機がＳＤＴＴによるチャンネル周波数変更指示を受信する（ステップＳ７０１）と、初期設定された受信方式を参照して、この受信機がアンテナにより受信している場合（ステップＳ７０２のＹＥＳ）、ＳＤＴＴ指示によるチャンネル周波数変更処理を行って、周波数リパッキング後のチャンネル周波数を再設定する（ステップＳ７０３）。
以降はリパッキング後のチャンネル周波数で受信が可能となる。
【００４４】
一方、ＣＡＴＶパススルー方式で受信している場合（ステップＳ７０２のＮＯ）、受信可能なチャンネルを確認するためのチャンネルサーチを受信機内部で実施し（ステップＳ７０４）、チャンネルサーチ実行により得られたチャンネル周波数情報の内、異なる周波数に対して同一の放送が重複して存在する場合（ステップＳ７０５のＹＥＳ）、従来情報を消去して新たに取得したチャンネル周波数情報を有効とし、受信機内部に記録する（ステップＳ７０６）。
【００４５】
他方、チャンネルサーチ実行により得られたチャンネル周波数情報の内、異なる周波数に対して同一の放送が重複して存在しない場合（ステップＳ７０５のＮＯ）、得られた周波数情報をそのまま受信機内部に記録し（ステップＳ７０７）、終了する。
以降はチャンネルサーチにより変更処理されたチャンネル周波数で受信が可能となる。
【００４６】
上記実施形態３では、地上波デジタル放送受信機がＳＤＴＴ指示によりチャンネルサーチを実施して得られたチャンネル周波数情報に自動的に変更していた。
この場合、ＳＤＴＴ指示によりチャンネルサーチを受信機内で実施して得られるチャンネル周波数情報を画面表示等によりユーザに告知し、異なる周波数で同一のチャンネルを重複して受信した場合等、ユーザに必要な選択操作をリモコン操作等によって実行することを促すようにしてもよい。これにより、一定期間経過後、元の周波数によるデジタル放送が終了した場合でも特に支障なく、地上波デジタル放送を継続して視聴することができる。
【００４７】
図８のフローチャートを用いて、実施形態３の変形例の地上波デジタル放送受信機の動作を説明する。
まず、地上波デジタル放送受信機がＳＤＴＴによるチャンネル周波数変更指示を受信する（ステップＳ８０１）と、初期設定された受信方式を参照して、この受信機がアンテナにより受信している場合（ステップＳ８０２のＹＥＳ）、ＳＤＴＴ指示によるチャンネル周波数変更処理を行って、周波数リパッキング後のチャンネル周波数を再設定する（ステップＳ８０３）。
以降はリパッキング後のチャンネル周波数で受信が可能となる。
【００４８】
一方、ＣＡＴＶパススルー方式で受信している場合（ステップＳ８０２のＮＯ）、受信可能なチャンネルを確認するためのチャンネルサーチを受信機内部で実施し（ステップＳ８０４）、チャンネルサーチ実行により得られたチャンネル周波数情報を視聴可能チャンネルとして画面表示する（ステップＳ８０５）。
ユーザはその内容を確認し、従来受信機内に記録していたチャンネル情報と重複している部分について選択を実施し、新たに取得したチャンネル周波数情報およびユーザによって選択されたチャンネル周波数情報を受信機内部に記録する（ステップＳ８０６）。
以降はユーザ操作により選択されたチャンネル周波数で受信が可能となる。
【００４９】
＜実施形態４＞
ケーブルテレビ事業者では、放送波を再送信する放送とは別に、事業者独自の放送を実施している場合がほとんどである。この自主放送についても今後デジタル化が進み、基本的にはデジタル放送となる予定である。
ＳＤＴＴに代わるＣＡＴＶ網の独自チャンネル周波数情報をこの自主放送に重畳することが可能であり、ケーブルテレビによる地上波デジタル放送パススルー方式にて受信している受信機については、この独自チャンネル周波数情報を用いて周波数リパッキング時のチャンネル周波数変更処理を実行することができる。
【００５０】
これにより受信機によるチャンネルサーチの必要がなく、確実に新たなチャンネル周波数による選局処理が可能であり、ユーザは従来通り地上波デジタル放送を継続して視聴することができる。また、独自チャンネル周波数情報が受信されていない場合は、上述の実施形態で説明したチャンネルサーチにより受信機内の情報を書き換える。
【００５１】
図９のフローチャートを用いて、本実施形態４の地上波デジタル放送受信機の動作を説明する。
まず、地上波デジタル放送受信機がＳＤＴＴによるチャンネル周波数変更指示を受信する（ステップＳ９０１）と、初期設定された受信方式を参照して、この受信機がアンテナにより受信している場合（ステップＳ９０２のＹＥＳ）、ＳＤＴＴ指示によるチャンネル周波数変更処理を行って、周波数リパッキング後のチャンネル周波数を再設定する（ステップＳ９０３）。
以降はリパッキング後のチャンネル周波数で受信が可能となる。
【００５２】
一方、ＣＡＴＶパススルー方式で受信している場合（ステップＳ９０２のＮＯ）で、独自チャンネル周波数情報を別途取得している場合（ステップＳ９０４のＹＥＳ）、この情報に従ってチャンネル周波数情報を受信機内部に記録する（ステップＳ９０５）。
他方、取得していない場合（ステップＳ９０４のＮＯ）は、受信可能なチャンネルを確認するためのチャンネルサーチを受信機内部で実施し（ステップＳＳ９０６）、チャンネルサーチ実行により得られたチャンネル周波数情報を受信機内に記録して（ステップＳ９０７）、終了する。
以降は変更処理されたチャンネル周波数で受信が可能となる。
【００５３】
また、ケーブルテレビ事業者が本ＣＡＴＶ網を通じて独自チャンネル周波数情報を地上波デジタル放送受信機に送信する場合、受信機が装備しているモデム機能を利用して送信する方法が考えられる。
例えば、ケーブルテレビ事業者は自主放送する番組においてデータ放送機能を利用して、視聴するユーザに周波数リパッキングの実施を告知する。ユーザは、画面上に表示されたアイコンをリモコン操作等により選択し、この独自チャンネル周波数情報の取得操作を行い、受信機内に公衆回線を通して取得する。
【００５４】
地上波デジタル放送受信機は、ユーザによって独自チャンネル周波数情報を取得したとき、初期設定された受信方式を参照して、ケーブルテレビによる地上波デジタル放送パススルー方式にて受信している場合には、この独自チャンネル周波数情報を用いて周波数リパッキング時のチャンネル周波数変更処理を実行する。
【００５５】
また、地上波デジタル放送受信機が独自チャンネル周波数情報を受信していない場合に、ＳＤＴＴによるチャンネル周波数変更指示を受信したときには、初期設定された受信方式を参照して、この受信機がアンテナにより受信していれば、ＳＤＴＴ指示によるチャンネル周波数変更処理を行う。一方、ケーブルテレビによる地上波デジタル放送パススルー方式にて受信していれば、チャンネルサーチにより受信機内の情報を書き換える。
これにより受信機によるチャンネルサーチの必要がなく、確実に新たなチャンネル周波数による選局処理が可能であり、ユーザは従来通り地上波デジタル放送を継続して視聴することができる。
【００５６】
さらに、ケーブルテレビ事業者が本ＣＡＴＶ網を通じて独自チャンネル周波数情報を地上波デジタル放送受信機に送信する場合、受信機が装備しているネットワーク接続によるブラウザ機能を利用して送信する方法が考えられる。
例えば、ケーブルテレビ事業者は自主運営するネットワークサイトにてＣＡＴＶを視聴するユーザに周波数リパッキングの実施を告知する。ユーザは、地上波デジタル放送受信機のリモコン操作等により、このネットワークサイトからこの独自チャンネル周波数情報をダウンロードして、受信機内に独自チャンネル周波数情報を取得する。
【００５７】
地上波デジタル放送受信機は、ユーザによって独自チャンネル周波数情報を取得したとき、初期設定された受信方式を参照して、ケーブルテレビによる地上波デジタル放送パススルー方式にて受信している場合には、この独自チャンネル周波数情報を用いて周波数リパッキング時のチャンネル周波数変更処理を実行する。
【００５８】
また、地上波デジタル放送受信機に独自チャンネル周波数情報が受信されていない場合に、ＳＤＴＴによるチャンネル周波数変更指示を受信したときには、初期設定された受信方式を参照して、この受信機がアンテナにより受信していれば、ＳＤＴＴ指示によるチャンネル周波数変更処理を行う。一方、ケーブルテレビによる地上波デジタル放送パススルー方式にて受信していれば、チャンネルサーチにより受信機内の情報を書き換える。
これにより受信機によるチャンネルサーチの必要がなく、確実に新たなチャンネル周波数による選局処理が可能であり、ユーザは従来通り地上波デジタル放送を継続して視聴することができる。
【００５９】
また、ケーブルテレビ事業者が本ＣＡＴＶ網を通じて独自チャンネル周波数情報を地上波デジタル放送受信機に記録する場合、受信機が装備しているメモリカード接続機能を利用して記録する方法が考えられる。
例えば、ケーブルテレビ事業者がＣＡＴＶを視聴するユーザに周波数リパッキングの実施を告知するダイレクトメール等に添付して独自チャンネル周波数情報が記録されたメモリカードを送付する。ユーザは、送られてきたメモリカードを地上波デジタル放送受信機のカードスロットに挿入し、所定の操作を行って受信機内にこの独自チャンネル周波数情報を記録する。
【００６０】
地上波デジタル放送受信機は、ユーザによって独自チャンネル周波数情報を受信機内に記録したとき、初期設定された受信方式を参照して、ケーブルテレビによる地上波デジタル放送パススルー方式にて受信している場合には、この独自チャンネル周波数情報を用いて周波数リパッキング時のチャンネル周波数変更処理を実行する。
【００６１】
また、地上波デジタル放送受信機に独自チャンネル周波数情報が設定されていない場合に、ＳＤＴＴによるチャンネル周波数変更指示を受信したときには、初期設定された受信方式を参照して、この受信機がアンテナにより受信していれば、ＳＤＴＴ指示によるチャンネル周波数変更処理を行う。一方、ケーブルテレビによる地上波デジタル放送パススルー方式にて受信していれば、チャンネルサーチにより受信機内の情報を書き換える。
これにより受信機によるチャンネルサーチの必要がなく、確実に新たなチャンネル周波数による選局処理が可能であり、ユーザは従来通り地上波デジタル放送を継続して視聴することができる。
【００６２】
以上説明した地上波デジタル放送受信機におけるリパッキング時の機能をプログラムでも実現することができる。このプログラムは、コンピュータで読み取り可能な記録媒体に格納されており、この記録媒体としては、受信機に備えるメインメモリそのものであってもよいし、また、その記録媒体を挿入することで読み取り可能な外部記憶装置であってもよい。
【００６３】
ここで、上記記録媒体は、受信機本体と分離可能に構成される記録媒体、例えばＰＣカード（ＳＲＡＭカード）のほか、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００６４】
また、本発明に係る受信機が、デジタル放送やネットワークに接続されたシステム構成であることから、これらの放送波やネットワークを介してプログラムを配信するようにしてもよい。
このようにプログラム化して流通させることによって、コスト、可搬性、汎用性を向上させることができる。
【図面の簡単な説明】
【００６５】
【図１】一般的なケーブルテレビの再送信設備の概要を示す図である。
【図２】地上波デジタル放送受信方式の選択画面の１例である。
【図３】ＳＤＴＴによるチャンネル周波数変換指示を受信したことをユーザに通知するための画面表示の１例を示す図である。
【図４】実施形態１の地上波デジタル放送受信機の動作を示すフローチャートである。
【図５】実施形態２の地上波デジタル放送受信機の動作を示すフローチャートである。
【図６】実施形態２の変形例の地上波デジタル放送受信機の動作を示すフローチャートである。
【図７】実施形態３の地上波デジタル放送受信機の動作を示すフローチャートである。
【図８】実施形態３の変形例の地上波デジタル放送受信機の動作を示すフローチャートである。
【図９】実施形態４の地上波デジタル放送受信機の動作を示すフローチャートである。
【符号の説明】
【００６６】
１０１…ＣＡＴＶ施設、１０２…地上波デジタル放送用アンテナ、１０３…地上波アナログ放送用アンテナ、１０４…衛星放送用アンテナ、１０５…ＯＦＤＭ−ＳＰ、１０６…チャンネルコンバータ、１０７…衛星デジタル放送受信装置、１０８…ＱＡＭ変調機、１０９…ヘッドエンド、１１０…ＣＡＴＶ網、１１１…加入者宅、２０１…受信方式選択画面、２０２，２０３…受信方式を選択するためのアイコン、２０４…選択決定アイコン。
【図１】
2005295372.tif 000003
【図２】
2005295372.tif 000004
【図３】
2005295372.tif 000005
【図４】
2005295372.tif 000006
【図５】
2005295372.tif 000007
【図６】
2005295372.tif 000008
【図７】
2005295372.tif 000009
【図８】
2005295372.tif 000010
【図９】
2005295372.tif 000011